(57)【要約】      （修正有）【課題】乳がんの皮膚潰瘍病臭を従来以上に効果的に消臭する方法の提供。【解決手段】乳がん皮膚潰瘍部位から生ずる、アセトインを主体とする乳がん皮膚潰瘍病臭をシート状被覆体からなる消臭物品を用いて消臭する方法である。シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である。ポリヒドロキシアミン化合物又はその塩が、トリス（ヒドロキシメチル）アミノメタンであることが好適である。【選択図】図１
2020039655.tif 000002
【特許請求の範囲】
【請求項１】
乳がん皮膚潰瘍部位から生ずる、アセトインを主体とする乳がん皮膚潰瘍病臭をシート状被覆体からなる消臭物品を用いて消臭する方法であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭方法。
【請求項２】
ポリヒドロキシアミン化合物又はその塩が、トリス（ヒドロキシメチル）アミノメタンである請求項１に記載の消臭方法。
【請求項３】
シート状被覆体に含まれるポリヒドロキシアミン化合物及びその塩の量が０．０００５ｇ／枚以上０．０５ｇ／枚以下である請求項１又は２に記載の消臭方法。
【請求項４】
多孔質粒子が、活性炭、酸化亜鉛、酸化アルミニウム、二酸化ケイ素、疎水性ゼオライト、アルミノケイ酸塩及び金属担持アルミノケイ酸塩からなる群から選ばれる一種又は二種以上である請求項１ないし３のいずれか一項に記載の消臭方法。
【請求項５】
多孔質粒子の含有量が０．００５ｇ／ｍ２以上５．０ｇ／ｍ２以下である請求項１ないし４のいずれか一項に記載の消臭方法。
【請求項６】
シート状被覆体が、創部接触面として用いられる液透過性の表面シート、液不透過性ないし液難透過性の裏面シート、及び両シート間に配置された液保持性の吸収性コアを有し、
ポリヒドロキシアミン化合物又はその塩、及び多孔質粒子のうちの一種以上が、シート状被覆体のうち、表面シートにおける創部接触面以外の部位に含まれている請求項１ないし５のいずれか一項に記載の消臭方法。
【請求項７】
ポリヒドロキシアミン化合物又はその塩、及び多孔質粒子のうちの一種以上が、表面シートと吸収性コアとの間に含まれているか、又は裏面シートと吸収性コアとの間に含まれている請求項６に記載の消臭方法。
【請求項８】
吸収性コアにおける表面シートとの対向面又は裏面シートとの対向面に液透過性のコアラップシートが配置されており、
コアラップシートに、ポリヒドロキシアミン化合物又はその塩、及び多孔質粒子のうちの一種以上が含まれている請求項７に記載の消臭方法。
【請求項９】
吸収性コアにおける表面シートとの対向面及び裏面シートとの対向面にコアラップシートが配置されている請求項８に記載の消臭方法。
【請求項１０】
吸収性コアの厚みが２ｍｍ以上１５ｍｍ以下である請求項１ないし９のいずれか一項に記載の消臭方法。
【請求項１１】
乳がん皮膚潰瘍部位から生ずるアセトインを主体とする乳がん皮膚潰瘍病臭を消臭するために、該部位に配置されて用いられるシート状被覆体からなる消臭物品であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭物品。
【請求項１２】
請求項１１に記載の消臭物品の製造方法であって、
ポリヒドロキシアミン化合物若しくはその塩、又は多孔質粒子を含む水性分散液を、消臭物品を構成するいずれかの繊維材料に噴霧して付着させる工程を有する、消臭物品の製造方法。
【請求項１３】
ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下であるシート状被覆体の、乳がん皮膚潰瘍部位から生ずるアセトインを主体とする乳がん皮膚潰瘍病臭の消臭のための使用。
【発明の詳細な説明】
【技術分野】
【０００１】
本発明は、乳がん皮膚潰瘍病臭の消臭方法に関する。また本発明は、この消臭方法に用いられる消臭物品に関する。
【背景技術】
【０００２】
乳がんの皮膚潰瘍は、特有の乳発酵臭を伴うやや粘性のある滲出液を分泌することが知られている。この臭いは、罹患者が日常的に外出することや、就業することの心理的障害の原因となる場合があり、それによって罹患者のＱＯＬが著しく低下することがある。
【０００３】
乳がんの皮膚潰瘍病臭の原因物質については、例えば低級脂肪酸やジメチルトリスルフィドが知られている（非特許文献１参照）。また、乳がんの皮膚潰瘍病臭の消臭を目的とした消臭物品が提案されている（特許文献１参照）。同文献に記載の消臭物品は、吸収領域と、該吸収領域の少なくとも一方の面側に配された消臭領域とを有している。吸収領域は、セルロース系繊維と、吸水性ポリマーと、熱融着性樹脂とを含んでいる。消臭領域は、セルロース系繊維と、消臭剤と、熱融着性樹脂とを含んでいる。また、臭いの種類は異なるが、腐敗尿臭に対する消臭紙も提案されている（特許文献２参照）。
【先行技術文献】
【特許文献】
【０００４】
【特許文献１】国際公開第２０１７／０００２８６４号パンフレット
【特許文献２】特開２０１６−１６９４４６号公報
【非特許文献】
【０００５】
【非特許文献１】Mika Shirasu et al., Biosci. Biotechnol. Biochem., vol.73, No.9, pp.2117-2120:2009
【発明の概要】
【発明が解決しようとする課題】
【０００６】
しかし、乳がんの皮膚潰瘍病臭に対する消臭効果は、特許文献１に記載の技術によっても依然として十分でなく、改良の余地があった。したがって本発明の課題は、前述した従来技術が有する欠点を解消し得る消臭方法及び消臭物品を提供することにある。
【課題を解決するための手段】
【０００７】
本発明は、乳がん皮膚潰瘍部位から生ずる、アセトインを主体とする乳がん皮膚潰瘍病臭をシート状被覆体からなる消臭物品を用いて消臭する方法であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭方法を提供するものである。
【０００８】
また本発明は、乳がん皮膚潰瘍部位から生ずるアセトインを主体とする乳がん皮膚潰瘍病臭を消臭するために、該部位に配置されて用いられるシート状被覆体からなる消臭物品であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭物品を提供するものである。
【０００９】
更に本発明は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下であるシート状被覆体の、乳がん皮膚潰瘍部位から生ずるアセトインを主体とする乳がん皮膚潰瘍病臭の消臭のための使用を提供するものである。
【発明の効果】
【００１０】
本発明によれば、乳がんの皮膚潰瘍病臭を従来以上に効果的に低減し消臭することができる。
【図面の簡単な説明】
【００１１】
【図１】図１は、実施例で作成した消臭物品の概略平面図である。
【発明を実施するための形態】
【００１２】
以下本発明を、その好ましい実施形態に基づき説明する。本発明は、乳がんの皮膚潰瘍病臭の消臭に関するものである。本発明においては、乳がん皮膚潰瘍部位から生ずる乳がんの皮膚潰瘍病臭を、該部位に消臭物品を配置することで、臭気成分を消臭物品内の消臭部まで有効に到達させ消臭する。先に述べたとおり、乳がんの皮膚潰瘍病臭を消臭する目的で、前述のような従来技術が提案されているが、それらの技術では十分な消臭効果を得ることができなかった。本発明者は、その理由について、乳がん皮膚潰瘍部位から生ずる臭気成分やその消臭方法の観点から詳細に検討した。その結果、以下の（１）−（３）の事項が判明した。
【００１３】
（１）乳がん皮膚潰瘍部位から生じる滲出液は、尿や経血と異なり、粘性が高く、且つ広い面積を有する患部から非常に遅い速度で（約０．１２ｇ／分；尿の約１／３０００の速度）排出されるので、当該部位の表面で固結しやすい。したがって、当該部位に消臭物品を配置した場合であっても、臭気成分が消臭物品内の消臭部まで到達しにくく、十分な消臭効果が得られない。
（２）乳がんの皮膚潰瘍病臭の臭気成分として、これまで知られておらず、消臭効果が不十分であった物質であるアセトインを見出した。そして、乳がんの皮膚潰瘍病臭の数ある原因物質のなかで、特にアセトインを消臭することが乳がんの皮膚潰瘍病臭の消臭に有効であることを見出した。
（３）乳がんの皮膚潰瘍病臭は、乳房上部やリンパ腺のある腋下部など多くの箇所から生じることが知られている。単純な矩形状の消臭物品を複数個用いて、各箇所にそれらを配置すると、各消臭物品が脱落しやすい。粘着テープを用いて各消臭物品を皮膚に固定することも考えられるが、粘着テープの使用はその剥離時に痛みを伴うので、多くの場合使用は避けられている。
【００１４】
本発明においては、消臭物品として、好適には、（ｉ）特定構造のシート状被覆体を用い、（ii）該シート状被覆体の厚みと長さとを適切にバランスさせた上で、（iii）特に表面シートとしてエアスルー不織布を用い、（iv）本発明者によって乳がん皮膚潰瘍部位から生ずることが初めて見出された物質であって、乳がんの皮膚潰瘍病臭の数ある原因物質のなかで特に消臭すると乳がんの皮膚潰瘍病臭の低減消臭に有効であることが見出された当該物質であるアセトインに消臭効果のある特定の消臭剤を採用することで、乳がん皮膚潰瘍部位から生ずる臭気成分をシート状被覆体の内部に迅速に到達させることができ、十分な消臭効果を発現させることが可能となる上に、着用者の身体に装着された消臭物品の位置ずれも起こりにくくなる。その結果、着用者の日常活動の幅が広がり、ＱＯＬの向上が期待できる。
【００１５】
上述の事項を踏まえて、以下、更に本発明を詳細に説明する。まず、上述したシート状被覆体における表面シートとして用いられるエアスルー不織布について説明する。エアスルー不織布は、熱融着性繊維を含むウエブに熱風を貫通方式で吹き付けて、該熱融着性繊維どうしの交点を融着させることで得られるものである。エアスルー不織布は、その製造方法に起因して低密度であり、且つ嵩高いものである。その結果、エアスルー不織布は、その構成繊維間の距離が大きく、通気性が高いという特徴を有する。また、エアスルー不織布はクッション性が高く、皮膚に対する風合いが良好であるという特徴も有する。エアスルー不織布が有するこれらの特徴を活かして、本発明においては、エアスルー不織布を、シート状被覆体における創部接触面として用いている。その結果、創部接触面、すなわち乳がん皮膚潰瘍部位から生ずる滲出液が非常に遅い速度で排出されて当該部位の表面で固結したとしても、創部接触面から生ずる臭気成分は、エアスルー不織布を通じてシート状被覆体の内部に迅速に到達でき、迅速な消臭が可能となる。
【００１６】
エアスルー不織布を用いることに起因する上述の利点を一層顕著なものとする観点から、エアスルー不織布としては、その密度が５．０×１０−１ｇ／ｃｍ３以下、特に３．０×１０−１ｇ／ｃｍ３以下、とりわけ１．０×１０−１ｇ／ｃｍ３以下であるものを用いることが好ましい。通気性を高める観点からはエアスルー不織布の密度は低ければ低いほど好ましいが、密度が過度に低くなるとエアスルー不織布の強度が大幅に低下するおそれがある。そこで、エアスルー不織布の密度は、１．０×１０−３ｇ／ｃｍ３以上、特に５．０×１０−３ｇ／ｃｍ３以上、とりわけ１．０×１０−２ｇ／ｃｍ３以上であることが好ましい。エアスルー不織布の密度は、エアスルー不織布の厚みで坪量を除すことで算出される。エアスルー不織布の厚みは２．５ｇ／ｃｍ２荷重下で測定する。測定には例えば非接触式のレーザー変位計などを用いることができる。
【００１７】
上述した密度との関係や肌触りの良好さの観点から、エアスルー不織布の厚みは、２．５ｇ／ｃｍ２荷重下において０．２ｍｍ以上であることが好ましく、０．２５ｍｍ以上であることが更に好ましく、０．３ｍｍ以上であることが一層好ましい。また、４ｍｍ以下であることが好ましく、３ｍｍ以下であることが更に好ましく、２ｍｍ以下であることが一層好ましい。
【００１８】
同様の観点から、エアスルー不織布の坪量は、１０ｇ／ｍ２以上であることが好ましく、１２ｇ／ｍ２以上であることが更に好ましく、１４ｇ／ｍ２以上であることが一層好ましい。また、６０ｇ／ｍ２以下であることが好ましく、５０ｇ／ｍ２以下であることが更に好ましく、４０ｇ／ｍ２以下であることが一層好ましい。
【００１９】
エアスルー不織布を構成する繊維は、少なくとも熱融着性繊維を含むことが好ましい。熱融着性繊維としては、例えば低融点樹脂を鞘成分とし、高融点樹脂を芯成分とする芯鞘型複合繊維や、低融点樹脂の部分と高融点樹脂の部分とが一方向に延びるように並列したサイド・バイ・サイド型複合繊維が挙げられる。低融点樹脂としては、例えばポリエチレンや低融点ポリプロピレンが挙げられる。高融点樹脂としては、例えばポリプロピレンやポリエチレンテレフタレートが挙げられる。
【００２０】
シート状被覆体からなる消臭物品においては、表面シートの全域がエアスルー不織布から構成されていてもよく、あるいは表面シートのうち、創部接触面のみがエアスルー不織布から構成されていてもよい。
【００２１】
上述したエアスルー不織布が用いられるシート状被覆体は、液透過性の表面シート、液不透過性ないし液難透過性の裏面シート、及び両シート間に配置された液保持性の吸収性コアを有するものである。
【００２２】
シート状被覆体は、その平面視において、一般に長手方向とそれに直交する幅方向を有し、長手方向に長い形状を有する。シート状被覆体はその平面視において一般に矩形状をしているが、この形状に限られない。
【００２３】
シート状被覆体における裏面シートとしては、熱可塑性樹脂製のフィルムや、該フィルムに不織布などの繊維シートを貼り合わせたものを用いることができる。このフィルムは、液不透過性であり、且つ水蒸気透過性であってもよい。また、複数種類の不織布を積層してなる多層構造の不織布を、液難透過性の裏面シートとして用いることもできる。そのような多層構造の不織布としては、例えばスパンボンド・メルトブローン・スパンボンド（ＳＭＳ）不織布や、スパンボンド・メルトブローン（ＳＭ）不織布などが挙げられる。
【００２４】
シート状被覆体における裏面シートと表面シートとの間には吸収性コアが配置される。吸収性コアは裏面シートと表面シートとで画成される空間内に封入されている。吸収性コアとしては、吸水性繊維材料の積繊体や、吸水性繊維材料と吸水性ポリマーとを含む積繊体などが挙げられる。あるいは吸収性コアとして、吸水性ポリマーのみからなる層や、吸水性ポリマーを繊維シートに固定化した形態の吸水性シートを用いることもできる。どのような形態の吸収性コアを用いるかは、シート状被覆体の具体的な形状や厚み等に応じて適切に選択すればよい。
【００２５】
前記の吸水性ポリマーとしては、各種のヒドロゲル材料を用いることができる。例えばアクリル酸若しくはアクリル酸アルカリ金属塩の重合体又は共重合体の架橋物、ポリアクリル酸及びその塩並びにポリアクリル酸塩グラフト重合体の架橋物、デンプン又はカルボキシメチル化セルロースの架橋物、デンプン−アクリル酸塩グラフト共重合体の加水分解生成物の架橋物、ビニルアルコール-アクリル酸塩共重合体の架橋物、無水マレイン酸グラフトポリビニルアルコールの架橋物、架橋イソブチレン−無水マレイン酸共重合体、酢酸ビニル−アクリル酸エステル共重合体のケン化物等を用いることができる。
【００２６】
吸収性コアは、表面シートとの対向面及び裏面シートとの対向面の少なくとも一方が、液透過性のコアラップシートで被覆されていてもよい。例えば同一の又は異なる種類の二枚のコアラップシートを用い、各コアラップシートを、吸収性コアにおける表面シートとの対向面、及び裏面シートとの対向面に配置することができる。あるいは、一枚のコアラップシートを用い、該コアラップシートを吸収性コアの表面に巻き付けて、吸収性コアにおける表面シートとの対向面、及び裏面シートとの対向面に該コアラップシートを配置することもできる。コアラップシートとしては、例えば不織布やティッシュペーパー（薄葉紙）などが挙げられる。また、吸収性コアの全面にコアラップシートを巻き付けた上に、更に、コアラップシートを表面シートとの対向面に１枚以上又は裏面シートとの対向面に１枚以上を付け加えて消臭効果を高めることもできる。
【００２７】
シート状被覆体における厚みと面積との比率が適正な範囲でない場合、例えば厚みが薄すぎるシート状被覆体を用いた場合には、シート状被覆体の表面に対して直交する方向に吸収される滲出液の量が少ないので、シート状被覆体の表面の広い範囲で滲出液の固結が生じ、臭気成分が消臭物品内の消臭部まで到達しにくく、十分な消臭効果が得られないことを本発明者は見出した。一方、厚すぎるシート状被覆体を用いた場合には、シート状被覆体の表面に対して直交する方向に滲出液が大量に吸収され水分量が増えることに起因して、アセトインとポリヒドロキシアミン化合物との求核的化学反応を遅延させてしまうことを本発明者は見出した。これとともに、シート状被覆体の質量が局所的に増加してしまうことに起因して、装着状態にあるシート状被覆体が適正な位置からずれてしまうことで、十分な消臭効果が得られないことも、本発明者は見出した。そして、この不都合を解消するために本発明者が鋭意検討した結果、シート状被覆体における厚みと面積との比率を適正な範囲に調整することで、適度な水分拡散作用によって、広い範囲での滲出液の固結を防ぎつつ、ポリヒドロキシアミン化合物とアセトインとの求核的化学反応を促進し、十分な消臭効果が得られるとともにシート状被覆体の位置ずれを効果的に防止し得ることが判明した。詳細には、シート状被覆体の厚みをＴ（ｃｍ）とし、面積をＳ（ｃｍ２）とした場合、厚みＴに対する面積Ｓの比率であるＳ／Ｔの値を３００以上、特に４００以上、更に５００以上、また更に８００以上、とりわけ１０００以上とすることが有効であることが判明した。またＳ／Ｔの値を３０００以下、特に２５００以下、更に２０００以下、とりわけ１５００以下とすることが有効であることが判明した。Ｓ／Ｔの値は、３００以上３０００以下、特に４００以上２５００以下、更に５００以上２５００以下、また更に８００以上２０００以下、とりわけ１０００以上１５００以下とすることが好ましい。
【００２８】
十分な消臭効果を得るとともに着用状態にあるシート状被覆体の位置ずれを一層効果的に防止する観点から、シート状被覆体の厚みＴは、０．２ｃｍ以上であることが好ましく、０．３ｃｍ以上であることが更に好ましく、０．４ｃｍ以上であることが一層好ましい。また厚みＴは、１．５ｃｍ以下であることが好ましく、１．２ｃｍ以下であることが更に好ましく、１．０ｃｍ以下であることが一層好ましい。特に厚みＴは、０．２ｃｍ以上１．５ｃｍ以下であることが好ましく、０．３ｃｍ以上１．２ｃｍ以下であることが更に好ましく、０．４ｃｍ以上１．０ｃｍ以下であることが一層好ましい。
【００２９】
シート状被覆体の厚みは、定圧厚さ測定機（ＪＩＳ  Ｋ６４０２準拠、ＴＥＣＬＯＣＫ製、ＰＧ−１１）を用いて測定し、構造的に最大の厚みをとる５つの部分の値の平均値を算出し、該平均値における０．１ｃｍ未満の値を四捨五入して求める。測定は、シート状被覆体のうち、吸収性コアが存在する位置において行い、厚みＴ（ｃｍ）とする。
【００３０】
厚みＴと同様の観点から、シート状被覆体の面積Ｓは、２００ｃｍ２以上であることが好ましく、２５０ｃｍ２以上であることが更に好ましく、４００ｃｍ２以上であることが更に好ましく、６００ｃｍ２以上であることが一層好ましい。また面積Ｓは、２０００ｃｍ２以下であることが好ましく、１５００ｃｍ２以下であることが更に好ましく、１２００ｃｍ２以下であることが更に好ましく、１０００ｃｍ２以下であることが一層好ましく、９００ｃｍ２以下であることがなお一層好ましい。特に面積Ｓは、２００ｃｍ２以上２０００ｃｍ２以下であることが好ましく、２５０ｃｍ２以上１５００ｃｍ２以下であることが更に好ましく、４００ｃｍ２以上１２００ｃｍ２以下であることが一層好ましく、６００ｃｍ２以上１０００ｃｍ２以下であることが更に一層好ましく、６００ｃｍ２以上９００ｃｍ２以下であることが更に一層好ましい。シート状被覆体の面積は、巻き尺等を用いて測定して、計算により求める。測定は、シート状被覆体のうち、吸収性コアが存在する領域を対象とする。したがって、シート状被覆体における周縁部、すなわち表面シート及び／又は裏面シートのみが存在する領域は、面積の測定対象に含めない。
【００３１】
着用者の乳房上部から腋下部までの広範囲の領域を被覆できるようにする観点から、シート状被覆体は、一方向に長い形状をしていることが好ましい。特にシート状被覆体は、その長手方向の長さＬが１５ｃｍ以上であることが好ましく、２０ｃｍ以上であることが更に好ましく、２５ｃｍ以上であることが更に好ましく、３５ｃｍ以上であることが一層好ましい。また長さＬは、６０ｃｍ以下であることが好ましく、５５ｃｍ以下であることが更に好ましく、５０ｃｍ以下であることが一層好ましい。特に長さＬは、１５ｃｍ以上６０ｃｍ以下であることが好ましく、２０ｃｍ以上５５ｃｍ以下であることが更に好ましく、２５ｃｍ以上５５ｃｍ以下であることが更に好ましく、３５ｃｍ以上５０ｃｍ以下であることが一層好ましい。シート状被覆体の長さＬは、巻き尺等を用いて測定する。測定は、シート状被覆体のうち、吸収性コアが存在する領域を対象とする。
【００３２】
シート状被覆体は、一方向に長い形状をしている場合、シート状被覆体の長手方向に直交する方向の長さ、すなわちシート状被覆体の幅Ｗは一定であってもよく、あるいは部位によって異なっていてもよい。例えば、シート状被覆体の長手方向における特定の位置での幅が、他の位置に比べて大きくなっていてもよく、あるいは小さくなっていてもよい。シート状被覆体の幅Ｗが一定である場合、乳がん皮膚潰瘍部位を十分に被覆できるようにする観点から、幅Ｗは１３ｃｍ以上であることが好ましく、１５ｃｍ以上であることが更に好ましく、２０ｃｍ以上であることが一層好ましい。また幅Ｗは、３０ｃｍ以下であることが好ましく、２８ｃｍ以下であることが更に好ましく、２６ｃｍ以下であることが一層好ましい。特に幅Ｗは、１３ｃｍ以上３０ｃｍ以下であることが好ましく、１５ｃｍ以上２８ｃｍ以下であることが更に好ましく、２０ｃｍ以上２６ｃｍ以下であることが一層好ましい。シート状被覆体の幅が部位によって異なる場合には、幅が最小である部位における当該幅が上述の範囲内であることが好ましい。シート状被覆体の幅Ｗは、巻き尺等を用いて測定する。測定は、シート状被覆体のうち、吸収性コアが存在する領域を対象とする。
【００３３】
シート状被覆体は、乳がん皮膚潰瘍部位から生ずる乳がん皮膚潰瘍病臭の消臭剤を含んでいる。上述のとおり、本発明者は、乳がん皮膚潰瘍病臭の原因物質を探索した結果、これまでに知られていない原因物質であるアセトインが、乳がん皮膚潰瘍部位から生ずることを初めて見出した。アセトインは乳がん皮膚潰瘍病臭に含まれ、該潰瘍病臭の主体となる原因物質であり、アセトインを消臭することで、乳がん皮膚潰瘍病臭を低減できることが本発明者の検討の結果判明した。
【００３４】
アセトインの正式名称は３−ヒドロキシ−２−ブタノンであり、α−ヒドロキシケトンの構造を有する化合物である。そして、従来知られている乳がんの皮膚潰瘍病臭の臭気成分、例えば低級脂肪酸やジメチルトリスルフィドに加えて、アセトインも消臭し得る物質を探索した結果、ポリヒドロキシアミン化合物又はその塩と、多孔質粒子との組み合わせをシート状被覆体に含有させることで、化学消臭と物理消臭との両面からの消臭が可能となり、これまでの消臭物品よりも高い消臭効果が得られることを見出した。
【００３５】
ポリヒドロキシアミン化合物又はその塩、及び多孔質粒子は、シート状被覆体のいずれの部位に含有されていても消臭効果を発現する。特に、ポリヒドロキシアミン化合物又はその塩、及び多孔質粒子のうちの一種以上が、シート状被覆体のうち、表面シートにおける創部接触面以外の部位に含まれていると消臭効果が一層高くなるので好ましい。例えば、ポリヒドロキシアミン化合物又はその塩、及び多孔質粒子のうちの一種以上を、吸収性コアに含有させたり、あるいは表面シートにおける吸収性コアとの対向面に含有させたりすることができる。
【００３６】
とりわけ、ポリヒドロキシアミン化合物又はその塩、及び多孔質粒子のうちの一種以上が、表面シートと吸収性コアとの間に含まれているか、又は裏面シートと吸収性コアとの間に含まれていると、消臭効果が一層高くなるので好ましい。例えば、表面シートと吸収性コアとの間に、液透過性のサブレイヤーシートを配し、該サブレイヤーシートに、ポリヒドロキシアミン化合物又はその塩、及び多孔質粒子のうちの一種以上を含有させることができる。
【００３７】
最も好ましくは、吸収性コアを被覆するコアラップシートに、ポリヒドロキシアミン化合物又はその塩、及び多孔質粒子のうちの一種以上を含有させる。こうすることで、アセトインを主体とする乳がん皮膚潰瘍病臭を極めて効果的に消臭することができる。特に、吸収性コアにおける表面シートとの対向面及び裏面シートとの対向面にコアラップシートを配し、各コアラップシートに、ポリヒドロキシアミン化合物又はその塩、及び多孔質粒子のいずれか一方又は双方を含有させることが有利である。
【００３８】
例えば、吸収性コアにおける表面シートとの対向面に配されるコアラップシートにポリヒドロキシアミン化合物又はその塩を含有させ、且つ多孔質粒子は含有させず、それとともに、吸収性コアにおける裏面シートとの対向面に配されるコアラップシートに多孔質粒子を含有させ、且つポリヒドロキシアミン化合物及びその塩は含有させないようにすることができる。これによって、多孔質粒子の細孔が、乳がん皮膚潰瘍部位から生ずる滲出液で詰まることを防止して、化学消臭及び物理消臭の双方を首尾よく行うことができる。
【００３９】
あるいは、吸収性コアにおける表面シートとの対向面に配されるコアラップシートにポリヒドロキシアミン化合物又はその塩を含有させ、且つ多孔質粒子は含有させず、それとともに、吸収性コアにおける裏面シートとの対向面に配されるコアラップシートにポリヒドロキシアミン化合物又はその塩、及び多孔質粒子を含有させることができる。この配置の仕方によっても、化学消臭及び物理消臭の双方を首尾よく行うことができる。
【００４０】
ポリヒドロキシアミン化合物又はその塩、及び多孔質粒子をシート状被覆体に含有させるためには、例えば、ポリヒドロキシアミン化合物又はその塩、又は多孔質粒子を含む水性分散液を、シート状被覆体を構成するいずれかの繊維材料、例えば上述したコアラップシートに噴霧又は含浸させて付着させる工程を採用すればよい。これによって、目的とする消臭物品を製造することができる。
【００４１】
アセトインを主体とする乳がん皮膚潰瘍病臭を効果的に消臭するために、ポリヒドロキシアミン化合物又はその塩は、それらの総量で、一枚のシート状被覆体に、０．０００５ｇ以上含まれることが好ましく、０．００１ｇ以上含まれることが更に好ましく、０．００５ｇ以上含まれることが一層好ましい。また、ポリヒドロキシアミン化合物又はその塩は、それらの総量で、一枚のシート状被覆体に、０．０５ｇ以下含まれることが好ましく、０．０３ｇ以下含まれることが更に好ましく、０．０２ｇ以下含まれることが一層好ましい。特に、シート状被覆体に含まれるポリヒドロキシアミン化合物又はその塩の量は、それらの総量で、０．０００５ｇ／枚以上０．０５ｇ／枚以下であることが好ましく、０．００１ｇ／枚以上０．０３ｇ／枚以下であることが更に好ましく、０．００５ｇ／枚以上０．０２ｇ／枚以下であることが一層好ましい。
【００４２】
前記と同様の観点から、ポリヒドロキシアミン化合物又はその塩は、それらの総量で、シート状被覆体に０．０１ｇ／ｍ２以上含まれることが好ましく、０．０５ｇ／ｍ２以上含まれることが更に好ましい。また、ポリヒドロキシアミン化合物又はその塩は、それらの総量で、シート状被覆体に３．０ｇ／ｍ２以下含まれることが好ましく、１．０ｇ／ｍ２以下含まれることが更に好ましい。ポリヒドロキシアミン化合物又はその塩は、それらの総量で、シート状被覆体に、０．０１ｇ／ｍ２以上３．０ｇ／ｍ２以下含まれることが好ましく、０．０５ｇ／ｍ２以上１．０ｇ／ｍ２以下含まれることが更に好ましい。この場合の面積は、吸収性コアの面積とする。
【００４３】
一方、多孔質粒子は、シート状被覆体に、０．００５ｇ／ｍ２以上含まれることが好ましく、０．０１ｇ／ｍ２以上含まれることが更に好ましく、０．０５ｇ／ｍ２以上含まれることが一層好ましい。また、多孔質粒子は、５．０ｇ／ｍ２以下含まれることが好ましく、３．０ｇ／ｍ２以下含まれることが更に好ましく、２．０ｇ／ｍ２以下含まれることが一層好ましい。特に、シート状被覆体における多孔質粒子の含有量は、０．００５ｇ／ｍ２以上５．０ｇ／ｍ２以下含まれることが好ましく、０．０１ｇ／ｍ２以上３．０ｇ／ｍ２以下含まれることが更に好ましく、０．０５ｇ／ｍ２以上２．０ｇ／ｍ２以下含まれることが一層好ましい。この場合の面積は、吸収性コアの面積とする。
【００４４】
本発明で用い得るポリヒドロキシアミン化合物としては、好ましく用いられるポリヒドロキシアミン化合物は以下の式（１）で表される。
【００４５】
【化１】
2020039655.tif 000003
【００４６】
式（１）中、Ｒ１は、水素原子、炭素数１〜５のアルキル基、又は炭素数１〜５のヒドロキシアルキル基を示す。 炭素数１〜５のアルキル基は、直鎖又は分岐鎖のいずれであってもよく、例えば、メチル基、エチル基、ｎ−プロピル基、イソプロピル基、各種ブチル基、各種ペンチル基が挙げられる。また、炭素数１〜５のヒドロキシアルキル基としては、ヒドロキシメチル基、２−ヒドロキシエチル基、２−ヒドロキシプロピル基、３−ヒドロキシプロピル基、２−ヒドロキシブチル基、３−ヒドロキシブチル基、４−ヒドロキシブチル基等が挙げられる。Ｒ１は、アセトインの化学消臭能が高い観点から、水素原子、メチル基、エチル基、ヒドロキシメチル基、２−ヒドロキシエチル基が好ましく、特に水素原子、ヒドロキシメチル基、２−ヒドロキシエチル基が好ましい。
【００４７】
Ｒ２は、水素原子、炭素数１〜６のアルキル基、又は炭素数１〜５のヒドロキシアルキル基を示す。炭素数１〜６のアルキル基は、直鎖状、分岐鎖状、環状のいずれであってもよい。アルキル基の具体例としては、メチル基、エチル基、ｎ−プロピル基、イソプロピル基、各種ブチル基、各種ペンチル基、各種ヘキシル基、シクロペンチル基、シクロヘキシル基等が挙げられる。また、炭素数１〜５のヒドロキシアルキル基としては、前記のものが挙げられる。Ｒ２は、アセトインの化学消臭能が高い観点から、水素原子、炭素数１〜３のアルキル基、ヒドロキシエチル基が好ましく、特に水素原子が好ましい。
【００４８】
Ｒ３及びＲ４は、炭素数１〜５のアルカンジイル基を示す。Ｒ３及びＲ４は、同一でも異なっていてもよい。炭素数１〜５のアルカンジイル基としては、メチレン基、エチレン基、トリメチレン基、プロパン−１，２−ジイル基、テトラメチレン基等が好ましく、特にメチレン基が好ましい。
【００４９】
本発明で用い得るポリヒドロキシアミン化合物の具体例としては、２−アミノ−１，３−プロパンジオール、２−アミノ−２−メチル−１，３−プロパンジオール、２−アミノ−２−エチル−１，３−プロパンジオール、２−アミノ−２−ヒドロキシメチル−１，３−プロパンジオール、２−アミノ−２−ヒドロキシエチル−１，３−プロパンジオール、４−アミノ−４−ヒドロキシプロピル−１，７−ヘプタンジオール、２−（Ｎ−エチル）アミノ−１，３−プロパンジオール、２−（Ｎ−エチル）アミノ−２−ヒドロキシメチル−１，３−プロパンジオール、２−（Ｎ−デシル）アミノ−１，３−プロパンジオール、２−（Ｎ−デシル）アミノ−２−ヒドロキシメチル−１，３−プロパンジオール等や、それらの塩が挙げられる。これらの化合物の塩としては、ナトリウム塩やカリウム塩などのアルカリ金属塩が挙げられる。これらのポリヒドロキシアミン化合物又はその塩は、一種を単独で、又は二種以上を組み合わせて用いることができる。これらのなかでも、アセトインの化学消臭能が高い観点から、２−アミノ−１，３−プロパンジオール、２−アミノ−２−メチル−１，３−プロパンジオール、２−アミノ−２−エチル−１，３−プロパンジオール、２−アミノ−２−ヒドロキシメチル−１，３−プロパンジオール及び２−アミノ−２−ヒドロキシエチル−１，３−プロパンジオール並びにその塩から選ばれる１種以上が特に好ましい。特に、２−アミノ−２−ヒドロキシメチル−１，３−プロパンジオール又はその塩、すなわち、トリス（ヒドロキシメチル）アミノメタン又はその塩が、アセトインに対する優れた消臭性能を有し、また揮発性が低いためにそれ自体の臭いが少ないので好ましい。
【００５０】
ポリヒドロキシアミン化合物は、悪臭物質の消臭に関し、尿臭の消臭にその中和作用を利用することが知られている。例えば特許文献２には、セルロース繊維シート基材に、トリス（ヒドロキシメチル）アミノメタンを含有させた薄葉紙を、吸収性物品における吸収性コアを被覆するシートとして用いることが記載されている。同文献においては、ポリヒドロキシアミン化合物が有するｐＨ緩衝作用を利用して尿臭の原因物質を中和して消臭を行っている。このこととは対照的に、本発明においては、ポリヒドロキシアミン化合物が有する求核性を利用して、乳がん皮膚潰瘍病臭の原因物質の一つであるアセトインとポリヒドロキシアミン化合物とを反応させることでアセトインを化学的に消臭している。この化学的反応は、シート状被覆体における厚みと面積との比率を適正な範囲に設定して適度な水分拡散作用を生じさせることで、より広い範囲での滲出液の固結を防ぎつつ促進される。その結果、十分な消臭効果が得られる。
【００５１】
ポリヒドロキシアミン化合物又はその塩と組み合わせて用いられる多孔質粒子は、アセトインを主体とする乳がん皮膚潰瘍病臭の原因物質をその孔に吸着又は包摂可能なものである。多孔質粒子とは、多数の細孔をもつ微粒子のことをいい、その材質は無機系でもよく、あるいは有機系でもよい。多孔質粒子の平均細孔径は、アセトインを主体とする乳がん皮膚潰瘍病臭の原因物質を効率よく吸着又は包摂し得る点から０．１ｎｍ以上であることが好ましい。また多孔質粒子の形状は球形、アスペクト比をもつ棒状や針状、粉砕形状等の不定形状等のいずれでもよい。
【００５２】
多孔質粒子としては、例えば、多孔メタクリル酸ポリマー、多孔アクリル酸ポリマー等のアクリル酸系ポリマー、多孔ジビニルベンゼンポリマー、多孔ピリジン共重合体等の芳香族系ポリマー、及びそれらの共重合体等の合成の多孔質ポリマー；キチン及びキトサン等の天然の多孔質ポリマー；活性炭、酸化亜鉛、酸化アルミニウム、二酸化ケイ素（シリカゲル）、アルミノ珪酸塩、亜鉛等の金属担持アルミノ珪酸塩、ケイ酸カルシウム、疎水性ゼオライト（ハイシリカゼオライト）、セピオライト、カンクリナイト、ゼオライト、及び水和酸化ジルコニウム等の無機多孔質物質；銀担持ゼオライト、銀担持カンクリナイト、並びに、銀担持多孔スチレン−ジビニルベンゼン−ビニルピリジンポリマー及び銀担持多孔ジビニルベンゼン−ビニルピリジンポリマー等のビニルピリジン共重合体などの金属担持多孔質などが挙げられる。これらの多孔質粒子は一種を単独で又は二種以上を組み合わせて用いることができる。これらの多孔質粒子のうち、特に、アセトインを主体とする乳がん皮膚潰瘍病臭の原因物質の消臭に有効である観点から、活性炭、酸化亜鉛、酸化アルミニウム、二酸化ケイ素、疎水性ゼオライト、アルミノケイ酸塩及び金属担持アルミノケイ酸塩からなる群から選ばれる一種又は二種以上を用いることが好ましい。
【００５３】
アセトインを主体とする乳がん皮膚潰瘍病臭の原因物質の消臭を一層顕著なものとする観点から、多孔質粒子は、ＢＥＴ比表面積が５０ｍ２／ｇ以上であることが好ましく、１００ｍ２／ｇ以上であることがより好ましく、２００ｍ２／ｇ以上であることが更に好ましい。また、その上限は特に制限されるものではないが、２０００ｍ２／ｇ以下とすることが実際的である。加えて、多孔質粒子は、平均細孔径が１ｎｍ以上であることが好ましく、５０ｎｍ以下であることが好ましく、３０ｎｍ以下であることがより好ましい。ＢＥＴ比表面積は、株式会社島津製作所製の比表面積・細孔分布測定装置「ＡＳＡＰ２０２０」を用いて、液体窒素を用いた多点法で測定し、パラメータＣが正になる範囲で値を導出できる。また、細孔分布の測定には水銀圧入法を用いることができる。
【００５４】
上述の構成を有するシート状被覆体からなる消臭物品は、乳がん皮膚潰瘍部位から生ずるアセトインを主体とする乳がん皮膚潰瘍病臭の消臭のために使用される。例えば、消臭物品を、その長手方向が着用者の正中線と略直交するように着用者の体表に配置する。この場合、消臭物品が乳房を覆い、且つ腋窩を通り、その先端が背中側に達するように、消臭物品を配置して、該消臭物品が乳がん皮膚潰瘍部位を覆うようにすることが好ましい。これによって、乳がん皮膚潰瘍部位から生ずる、アセトインを主体とする乳がん皮膚潰瘍病臭を、消臭物品によって効果的に消臭できる。また、乳房の皮膚潰瘍部に加えて頭頸部にも皮膚潰瘍部が併発している場合は、乳房から頸部に向かって斜めに着用して使用することもできる。消臭物品を着用者の身体に固定するには、例えば胸帯や粘着テープを用いればよい。
【００５５】
以上、本発明をその好ましい実施形態に基づき説明したが、本発明は前記実施形態に制限されない。例えば、本発明で用いられるシート状被覆体は、表面シート、吸収性コア及び裏面シートを基本部材として有するものであるが、シート状被覆体にそれ以外の部材が備えられていてもよい。
【００５６】
また本発明においては、消臭剤として、ポリヒドロキシアミン化合物又はその塩、及び多孔質粒子を必須の成分として用いたが、本発明で用いられるシート状被覆体が、これら以外の消臭成分を含有することは妨げられない。
【００５７】
上述した実施形態に関し、本発明は更に以下の消臭方法及び消臭物品を開示する。
＜１＞
乳がん皮膚潰瘍部位から生ずる、アセトインを主体とする乳がん皮膚潰瘍病臭をシート状被覆体からなる消臭物品を用いて消臭する方法であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭方法。
【００５８】
＜２＞
ポリヒドロキシアミン化合物又はその塩が、トリス（ヒドロキシメチル）アミノメタンである＜１＞に記載の消臭方法。
＜３＞
シート状被覆体に含まれるポリヒドロキシアミン化合物及びその塩の量が０．０００５ｇ／枚以上０．０５ｇ／枚以下である＜１＞又は＜２＞に記載の消臭方法。
＜４＞
多孔質粒子が、活性炭、酸化亜鉛、酸化アルミニウム、二酸化ケイ素、疎水性ゼオライト、アルミノケイ酸塩及び金属担持アルミノケイ酸塩からなる群から選ばれる一種又は二種以上である＜１＞ないし＜３＞のいずれか一つに記載の消臭方法。
＜５＞
多孔質粒子の含有量が０．００５ｇ／ｍ２以上５．０ｇ／ｍ２以下である＜１＞ないし＜４＞のいずれか一つに記載の消臭方法。
＜６＞
シート状被覆体が、創部接触面として用いられる液透過性の表面シート、液不透過性ないし液難透過性の裏面シート、及び両シート間に配置された液保持性の吸収性コアを有し、
ポリヒドロキシアミン化合物又はその塩、及び多孔質粒子のうちの一種以上が、シート状被覆体のうち、表面シートにおける創部接触面以外の部位に含まれている＜１＞ないし＜５＞のいずれか一つに記載の消臭方法。
【００５９】
＜７＞
ポリヒドロキシアミン化合物又はその塩、及び多孔質粒子のうちの一種以上が、表面シートと吸収性コアとの間に含まれているか、又は裏面シートと吸収性コアとの間に含まれている＜６＞に記載の消臭方法。
＜８＞
吸収性コアにおける表面シートとの対向面又は裏面シートとの対向面に液透過性のコアラップシートが配置されており、
コアラップシートに、ポリヒドロキシアミン化合物又はその塩、及び多孔質粒子のうちの一種以上が含まれている＜７＞に記載の消臭方法。
＜９＞
吸収性コアにおける表面シートとの対向面及び裏面シートとの対向面にコアラップシートが配置されている＜８＞に記載の消臭方法。
＜１０＞
吸収性コアの厚みが２ｍｍ以上１５ｍｍ以下である＜１＞ないし＜９＞のいずれか一つに記載の消臭方法。
＜１１＞
エアスルー不織布の密度が、１．０×１０-３ｇ／ｃｍ３以上５．０×１０-１ｇ／ｃｍ３以下である＜１＞ないし＜１０＞のいずれか一つに記載の消臭方法。
【００６０】
＜１２＞
エアスルー不織布の厚みが２．５ｇ／ｃｍ２荷重下において０．２ｍｍ以上４ｍｍ以下である＜１＞ないし＜１１＞のいずれか一つに記載の消臭方法。
＜１３＞
エアスルー不織布の坪量が１０ｇ／ｍ２以上６０ｇ／ｍ２以下である＜１＞ないし＜１２＞のいずれか一つに記載の消臭方法。
＜１４＞
シート状被覆体の厚みが０．２ｃｍ以上１．５ｃｍ以下である＜１＞ないし＜１３＞のいずれか一つに記載の消臭方法。
＜１５＞
シート状被覆体の面積が２００ｃｍ２以上２０００ｃｍ２以下である＜１＞ないし＜１４＞のいずれか一つに記載の消臭方法。
＜１６＞
シート状被覆体の長手方向の長さが１５ｃｍ以上６０ｃｍ以下である＜１＞ないし＜１５＞のいずれか一つに記載の消臭方法。
【００６１】
＜１７＞
シート状被覆体の幅が１３ｃｍ以上３０ｃｍ以下である＜１＞ないし＜１６＞のいずれか一つに記載の消臭方法。
＜１８＞
ポリヒドロキシアミン化合物又はその塩が、それらの総量で、シート状被覆体に０．０１ｇ／ｍ２以上３．０ｇ／ｍ２以下含まれている＜１＞ないし＜１６＞のいずれか一つに記載の消臭方法。
＜１９＞
多孔質粒子は、ＢＥＴ比表面積が５０ｍ２／ｇ以上２０００ｍ２／ｇ以下である＜１＞ないし＜１８＞のいずれか一つに記載の消臭方法。
＜２０＞
消臭物品が、乳房を覆い且つ腋窩を通り、その先端が背中側に達するように、該消臭物品を配置して、該消臭物品が乳がん皮膚潰瘍部位を覆うようにする＜１＞ないし＜１９＞のいずれか一つに記載の消臭方法。
＜２１＞
シート状被覆体が、液透過性の表面シート、液不透過性ないし液難透過性の裏面シート、及び両シート間に配置された液保持性の吸収性コアを有し、
裏面シートは、液不透過性であり、且つ水蒸気透過性である＜１＞ないし＜２０＞のいずれか一つに記載の消臭方法。
【００６２】
＜２２＞
シート状被覆体が、液透過性の表面シート、液不透過性ないし液難透過性の裏面シート、及び両シート間に配置された液保持性の吸収性コアを有し、
厚みＴ（ｃｍ）に対する面積Ｓ（ｃｍ２）の比率であるＳ／Ｔの値が３００以上３０００以下であり、エアスルー不織布の密度が、１．０×１０-３ｇ／ｃｍ３以上５．０×１０-１ｇ／ｃｍ３以下であり、裏面シートは、液不透過性であり、且つ水蒸気透過性である、＜１＞ないし＜２１＞のいずれか一つに記載の消臭方法。
＜２３＞
シート状被覆体が、液透過性の表面シート、液不透過性ないし液難透過性の裏面シート、及び両シート間に配置された液保持性の吸収性コアを有し、
吸収性コアにおける表面シートとの対向面又は裏面シートとの対向面に液透過性のコアラップシートが配置されており、
厚みＴ（ｃｍ）に対する面積Ｓ（ｃｍ２）の比率であるＳ／Ｔの値が３００以上３０００以下であり、吸収性コアにおける表面シートとの対向面及び裏面シートとの対向面に液透過性のコアラップシートが配置されており、
コアラップシートに、ポリヒドロキシアミン化合物又はその塩、及び多孔質粒子のうちの一種以上が含まれている、＜１＞ないし＜２２＞のいずれか一つに記載の消臭方法。
＜２４＞
シート状被覆体が、液透過性の表面シート、液不透過性ないし液難透過性の裏面シート、及び両シート間に配置された液保持性の吸収性コアを有し、
厚みＴ（ｃｍ）に対する面積Ｓ（ｃｍ２）の比率であるＳ／Ｔの値が３００以上３０００以下であり、吸収性コアにおける表面シートとの対向面及び裏面シートとの対向面に液透過性のコアラップシートが配置されており、
吸収性コアにおける表面シートとの対向面に配されるコアラップシートにポリヒドロキシアミン化合物又はその塩を含有させ、且つ多孔質粒子は含有させず、吸収性コアにおける裏面シートとの対向面に配されるコアラップシートに多孔質粒子を含有させ、且つポリヒドロキシアミン化合物及びその塩は含有させない、＜１＞ないし＜２３＞のいずれか一つに記載の消臭方法。
＜２５＞
シート状被覆体が、液透過性の表面シート、液不透過性ないし液難透過性の裏面シート、及び両シート間に配置された液保持性の吸収性コアを有し、
厚みＴ（ｃｍ）に対する面積Ｓ（ｃｍ２）の比率であるＳ／Ｔの値が３００以上３０００以下であり、吸収性コアにおける表面シートとの対向面及び裏面シートとの対向面に液透過性のコアラップシートが配置されており、
吸収性コアにおける表面シートとの対向面に配されるコアラップシートにポリヒドロキシアミン化合物又はその塩を含有させ、且つ多孔質粒子は含有させず、吸収性コアにおける裏面シートとの対向面に配されるコアラップシートにポリヒドロキシアミン化合物又はその塩、及び多孔質粒子を含有させる、＜１＞ないし＜２３＞のいずれか一つに記載の消臭方法。
＜２６＞
乳がん皮膚潰瘍部位から生ずるアセトインを主体とする乳がん皮膚潰瘍病臭を消臭するために、該部位に配置されて用いられるシート状被覆体からなる消臭物品であって、
シート状被覆体は、ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下である、消臭物品。
【００６３】
＜２７＞
＜２６＞に記載の消臭物品の製造方法であって、
ポリヒドロキシアミン化合物若しくはその塩、又は多孔質粒子を含む水性分散液を、消臭物品を構成するいずれかの繊維材料に噴霧して付着させる工程を有する、消臭物品の製造方法。
＜２８＞
ポリヒドロキシアミン化合物又はその塩、及び多孔質粒子を含有し、創部接触面がエアスルー不織布から構成されており、厚みＴ（ｃｍ）に対する面積Ｓ（ｃｍ２）の比率であるＳ／Ｔの値が３００以上３０００以下であるシート状被覆体の、乳がん皮膚潰瘍部位から生ずるアセトインを主体とする乳がん皮膚潰瘍病臭の消臭のための使用。
【実施例】
【００６４】
以下、実施例により本発明を更に詳細に説明する。しかしながら本発明の範囲は、かかる実施例に制限されない。特に断らない限り、「％」は「質量％」を意味する。
【００６５】
〔実施例１〕
（１）吸収性コアの作製
フラップパルプ及び吸水性ポリマーからなる矩形状の混合積繊体を製造し、この混合積繊体を１５×２０ｃｍに裁断し、これを吸収性コアとして用いた。吸収性コアにおけるフラップパルプの坪量は２００ｇ／ｍ２とし、吸水性ポリマーの坪量は３５ｇ／ｍ２とした。
【００６６】
（２）ポリヒドロキシアミン化合物又はその塩の準備
ポリヒドロキシアミン化合物として、トリス（ヒドロキシメチル）アミノメタン（以下、単に「トリス」ともいう。）を用いた。トリスを水に溶かして水溶液とした。この水溶液にクエン酸を添加した。トリスとクエン酸との質量比は１：０．４４とした。水溶液のｐＨは２５℃において７．５であった。この水溶液を、吸収性コアの表面シート対向面に配された薄葉紙に含有させた。
【００６７】
（３）多孔質粒子の準備
多孔質粒子としてＢＥＴ比表面積が約７５０ｍ２／ｇであり、細孔径が約４．５ｎｍである活性炭（塩化亜鉛賦活、ＳＡ１０００、フタムラ化学株式会社製）を多孔質粒子として用いた。
【００６８】
（４）表面側コアラップシートの準備
坪量１６ｇ／ｍ２の薄葉紙をコアラップシートとして用いた。この薄葉紙に（２）で得られた水溶液を含浸させた。含浸量は、トリスが０．５ｇ／ｍ２、クエン酸が０．２２ｇ／ｍ２であった。また、トリスの質量は０．０１５ｇであった。
【００６９】
（５）裏面側コアラップシートの準備
針葉樹クラフトパルプの紙料に、（３）で準備した多孔質粒子を添加したものを原料として用い湿式抄造を行い、坪量１６．５ｇ／ｍ２の薄葉紙を調製した。得られたコアラップシートにおける多孔質粒子の坪量は０．５ｇ／ｍ２であった。
【００７０】
（６）表面シート及び裏面シートの準備
表面シートとして、芯がポリエチレンテレフタレートで鞘がポリエチレンからなる繊度２ｄｔｅｘの芯鞘型複合繊維からなるエアスルー不織布を用いた。このエアスルー不織布の坪量は２０ｇ／ｍ２であり、２．５ｇ／ｃｍ２荷重下での密度は５．０×１０−２ｇ／ｃｍ３であり、同荷重下での厚みは０．４ｍｍであった。裏面シートとして、坪量が１９ｇ／ｍ２であるポリエチレンフィルムを用いた。
【００７１】
（７）シート状被覆体からなる消臭物品の製造
吸収性コアの各面に表面側コアラップシート及び裏面側コアラップシートを配置して吸収体を得た。この吸収体を裏面シート上に載置し、その上を表面シートで被覆した。表面シートと裏面シートとを、吸収体の周縁から延出した部分で接合して、矩形のシート状被覆体からなる消臭物品を得た。この消臭物品における厚みＴは０．７ｃｍ、面積Ｓは３００ｃｍ２、長さＬは２０ｃｍ、幅Ｗは１５ｃｍであった。Ｓ／Ｔは４２９であった。
【００７２】
〔実施例２〕
多孔質粒子としてＢＥＴ比表面積が約２５０ｍ２／ｇであり、細孔径が約２０ｎｍである亜鉛担持アルミノケイ酸塩（ミズカナイトＨＰ、水澤化学工業株式会社製）を用いた。この多孔質粒子をコアラップシートに担持させた。多孔質粒子の坪量は０．５ｇ／ｍ２とした。これ以外は実施例１と同様にして消臭物品を得た。
【００７３】
〔実施例３〕
実施例１で用いた表面側コアラップシートにおけるトリスの坪量を０．０５ｇ／ｍ２とし、質量を０．０００７５ｇ（０．７５ｍｇ）とした。多孔質粒子としてＢＥＴ比表面積が２５０ｍ２／ｇであり、細孔径が２０ｎｍである亜鉛担持アルミノケイ酸塩（ミズカナイトＨＰ、水澤化学工業株式会社製）を用いた。この多孔質粒子をコアラップシートに担持させた。多孔質粒子の坪量は０．５ｇ／ｍ２とした。これら以外は実施例１と同様にして消臭物品を得た。
【００７４】
〔実施例４〕
ＢＥＴ比表面積が４３０ｍ２／ｇであり、細孔径が１ｎｍである疎水性ゼオライト（アブセント３０００、ユニオン昭和株式会社製）を用いた。これら以外は実施例１と同様にして消臭物品を得た。
【００７５】
〔比較例１〕
実施例１において表面側コアラップシートにおけるトリスを含有させず、且つ裏面側コアラップシートに活性炭を含有させなかった。これら以外は実施例１と同様にして消臭物品を得た。
【００７６】
〔比較例２〕
実施例１において裏面側コアラップシートに活性炭を含有させなかった。これ以外は実施例１と同様にして消臭物品を得た。
【００７７】
〔比較例３〕
実施例１において表面側コアラップシートにトリスを含有させなかった。これ以外は実施例１と同様にして消臭物品を得た。
【００７８】
〔比較例４〕
実施例２において表面側コアラップシートにトリスを含有させなかった。これ以外は実施例１と同様にして消臭物品を得た。
【００７９】
〔比較例５〕
実施例４において表面側コアラップシートにトリスを含有させなかった。これ以外は実施例１と同様にして消臭物品を得た。
【００８０】
〔比較例６〕
実施例１において表面側コアラップシートにトリスを含有させなかった。また裏面側コアラップシートに活性炭を含有させる代わりに緑茶抽出物（ＦＳ５００Ｍ）を含有させた。これら以外は実施例１と同様にして消臭物品を得た。
【００８１】
〔比較例７〕
実施例１において表面側コアラップシートにトリスを含有させる代わりに緑茶抽出物（ＦＳ−５００Ｍ、エキス分２０％、白井松新薬製）を含有させた（エキス分換算で調製）。また、裏面側コアラップシートに活性炭を含有させなかった。これ以外は実施例１と同様にして消臭物品を得た。
【００８２】
〔比較例８〕
比較例７において裏面側コアラップシートに活性炭を含有させた。この活性炭は実施例１で用いたものと同じである。これ以外は実施例１と同様にして消臭物品を得た。
【００８３】
〔比較例９〕
比較例７において裏面側コアラップシートに亜鉛担持アルミノケイ酸塩（中性）を含有させた。この亜鉛担持アルミノケイ酸塩は実施例２で用いたものと同じである。これ以外は実施例１と同様にして消臭物品を得た。
【００８４】
〔比較例１０〕
比較例７において裏面側コアラップシートに疎水性ゼオライトを含有させた。この疎水性ゼオライトは実施例４で用いたものと同じである。これ以外は実施例１と同様にして消臭物品を得た。
【００８５】
〔評価〕
実施例及び比較例で得られた消臭物品の性能を以下の方法で評価した。その結果を以下の表２及び表３に示す。
【００８６】
〔評価１〕
（ａ１）アセトインの濃度が０．１％になるようにプロピレングリコール（ＰＧ）で希釈した臭気物質溶液を調製した。その溶液を２ｍｌ用い、これを各実施例及び比較例の消臭物品における表面シートの中央部に滴下した。
（ａ２）この操作とは別に、以下の表１に示すアセトインを含む疑似乳がん臭気組成物を調製し、この組成物をプロピレングリコールで１０倍に希釈して臭気物質溶液を調製した。その溶液を２ｍｌ用い、これを各実施例及び比較例の消臭物品における表面シートの中央部に滴下した。
【００８７】
【表１】
2020039655.tif 000004
【００８８】
前記の（ａ１）及び（ａ２）のそれぞれの臭気物質溶液に関し、以下の（ｂ１）及び（ｂ２）の評価を行った。
（ｂ１）消臭物品を肌に装着し、その上に服を着た場合に、服の外側に漏れ出した臭気を想定した方法（「臭気の漏れ」）
消臭物品の臭気物質溶液の滴下面を下にして横に静置し、周囲を幅５ｃｍの粘着テープ（Ｐカットテープ、寺岡製作所製）で固定し、その上方５ｃｍから臭気を評価した。
（ｂ２）消臭物品を肌に装着し、服と肌の間から胸元に立ち昇ってくる臭気を想定した方法（「臭気の立ち昇り」）
消臭物品を縦にして、その上方５ｃｍから臭気を評価した。
（ｂ１）及び（ｂ２）のいずれにおいても、臭気の強度の尺度は環境庁悪臭防止法に用いられる尺度に準じた以下の６段階の尺度を用いた。
０：無臭 
１：やっと感知できるにおい
２：何の臭いであるかわかる弱い臭い 
３：楽に感知できるにおい 
４：強い臭い 
５：強烈な臭い 
【００８９】
【表２】
2020039655.tif 000005
【００９０】
【表３】
2020039655.tif 000006
【００９１】
表２及び表３に示すとおり、各実施例の消臭物品は、臭気の漏れの評価、つまり服から外に漏れてくる臭気の漏れを効果的に防げることが判った。これに対して、各比較例の消臭物品は、臭気の漏れの防止効果が不十分であることが判った。
【００９２】
また、表２及び表３に示すとおり、各実施例の消臭物品は、臭気の立ち昇りの評価、つまり胸元からの臭気の立ち昇りを効果的に防げることが判った。これに対して、各比較例の消臭物品は、臭気の立ち昇りの防止効果が不十分であることが判った。
【００９３】
〔実施例５〕
実施例２で作製した消臭物品に代えて、図１に示す消臭物品を作製した。表面側に配置するコアラップシートにトリスを０．０５ｇ／ｃｍ２担持させた。裏面側に配置するコアラップシートに亜鉛担持アルミノケイ酸塩を０．５ｇ／ｃｍ２担持させた。消臭物品は、長さＬが４１ｃｍ、幅Ｗが２３ｃｍ、面積Ｓが７２７ｃｍ２、厚みＴが０．６ｃｍ、Ｓ／Ｔ＝１２１２であった。
【００９４】
〔実施例６〕
実施例５で作製した消臭物品において、コアラップシートを用いて、厚みＴを０．７ｃｍ、長さＬ３０ｃｍ、幅Ｗを１４ｃｍ、面積Ｓを４２０ｃｍ２の矩形の消臭物品を作製した。Ｓ／Ｔは６００であった。これ以外は実施例５と同様とした。
【００９５】
〔比較例１１〕
実施例５で作製したコアラップシートを用いて、厚みＴ１．６ｃｍ、長さＬ１４ｃｍ、幅Ｗ１４ｃｍ、面積Ｓ１９６ｃｍ２、Ｓ／Ｔ＝１２３である矩形の消臭物品を作製した。
【００９６】
〔評価２〕
男性用上半身マネキン（乳房切除後を想定、胸囲約８０ｃｍ）に、乳がんの皮膚潰瘍部位を想定して乳房上部に２箇所と腋部の１箇所の計３箇所に、上述した（ａ２）の臭気物質溶液１ｇを含浸させた脱脂綿を固定した。その上から、実施例５及び６並びに比較例１１の消臭物品を、医療用テープ（やさしくはがせるシリコーンテープ、３Ｍ製）を用いて装着し、更にＴシャツをその上から着用し、該Ｔシャツの着脱を１０回繰り返した。
その結果、実施例５及び実施例６の消臭物品を装着した場合は、３つの悪臭発生場所を１枚の物品で覆うことが可能であった。しかも、消臭物品の上からＴシャツを着用する際に消臭物品の位置ずれが生じなかった。またマネキン全体からの臭気が低減されていた。一方、比較例１１の消臭物品では、消臭物品の上に着用していたＴシャツを脱がせたときに、該物品の位置ずれが生じてしまい臭気の低減効果が不十分であった。
【図１】
2020039655.tif 000007